(57)【要約】【課題】携帯端末装置を折畳んだ状態でも着信等により照射する照明光の照射角を大きくして、ユーザーが照明光を容易に確認し易くすることができる折畳み型携帯端末装置を提供する。【解決手段】操作部形成面３４及び表示部形成面３２の一方に設けられ、折畳み動作の完了時にその先端部が操作部形成面及び表示部形成面の他方に当接して第１，第２ケース３６，３５間に隙間を作る隙間形成突起部５０と、隙間形成突起部よりケース厚さ方向内側に重ねて設けられ、所定事項発生時に発光するよう制御される発光手段５２と、ケースの側面又は端面に配置され、発光手段が発光動作することにより照明動作してユーザに所定事項発生を報知する、透光材料により形成された照明部材５１とを備え、隙間形成突起部を照明部材と同一の透光材料により一体的に連結して形成した。【選択図】      図３
2004274340.tif 000002
【特許請求の範囲】
【請求項１】
操作部形成面を有する第１ケースと、表示部形成面を有する第２ケースが、操作部形成面と表示部形成面を接近させるように折畳み自在となっている折畳み型携帯端末装置において、
前記操作部形成面及び前記表示部形成面の一方に設けられ、前記折畳み動作の完了時にその先端部が操作部形成面及び表示部形成面の他方に当接して前記第１，第２ケース間に隙間を作る隙間形成突起部と、
前記隙間形成突起部より前記ケース厚さ方向内側に重ねて設けられ、所定動作の発生時に発光するよう制御される発光手段と、
前記ケースの側面又は端面に配置され、前記発光手段が発光動作することにより照明動作してユーザに所定動作の発生を報知する、透光材料により形成された照明部材とを備え、
前記隙間形成突起部を前記照明部材と同一の透光材料により一体的に連結して形成したことを特徴とする折畳み型携帯端末装置。
【請求項２】
前記隙間形成突起部の近傍にスピーカが配置され、前記スピーカと前記ケースとの間に挟んで設けられるスペーサを、隙間形成突起部及び前記照明部材と同一の透光材料により一体的に連結して形成するようにした請求項１に記載の折畳み型携帯端末装置。
【請求項３】
前記隙間形成突起部の近傍にマイクロホンが配置され、前記マイクロホンと前記ケースとの間に挟んで設けられるスペーサを、隙間形成突起部及び前記照明部材と同一の透光材料により一体的に連結して形成するようにした請求項１に記載の折畳み型携帯端末装置。
【請求項４】
前記隙間形成突起部の近傍に配置された入出力コネクタが外部に露出しないようこれを覆うように配置されたコネクタキャップを有し、
前記コネクタキャップが前記隙間形成突起部と同一の透光材料により一体的に連結して形成され、
前記発光手段の発光動作により前記コネクタキャップが前記照明部材を兼用して照明動作するようにした請求項１に記載の折畳み型携帯端末装置。
【請求項５】
前記隙間形成突起部が弾性体の透光材料により形成されて、前記折畳み動作の完了時に前記第１，第２ケース間の緩衝動作を行なう緩衝用突起部として用いられるようにした請求項１に記載の折畳み型携帯端末装置。
【発明の詳細な説明】
【０００１】
【発明の属する技術分野】
本発明は、一対のケースが折畳み自在に連結された折畳み型携帯電話機のような、折畳み型携帯端末装置に関するものである。
【０００２】
【従来の技術】
折畳み型携帯端末装置としては従来は、例えば一対のケースが折畳み自在に連結された折畳み型の携帯電話機があった。その携帯電話機の一対のケースのうち、操作部形成面を有する一方のケースの同面に突起部を設け、表示部形成面を有する他方のケースに対して接近するように折り畳んだときに、その表示部形成面の上記突起部に対応する位置には、シリコンゴム等の弾性体の受け部品を嵌め込み、携帯電話機を折り畳んだときに、上記突起部が上記弾性体の受け部品に当接することにより、その折畳み時の衝撃を吸収すると共に、操作キーが表示面に直接当たることを防止するためにケース間に隙間ができるようになっている（例えば、特許文献１参照）。
【０００３】
【特許文献１】
特開２００３−８７０８号公報
【０００４】
【発明が解決しようとする課題】
上記特許文献１に係る従来の折畳み型携帯電話機は、その折畳み時に両筐体（ケース）間に隙間を設ける緩衝用突起部と、複数の操作キーを、弾性体からなる一枚のキーシートに一体化して形成したもので、緩衝用突起部も照明動作するようになっていて、携帯電話機を折畳んだ状態でも着信等により緩衝用突起部を照明動作させる制御を行うようになっている
【０００５】
しかしながら、この従来の折畳み型携帯電話機は、それを折畳んだ状態で、緩衝用突起部からの照明光を両筐体間の隙間から照射させるような構成となっているため、緩衝用突起部からの照明光は両筐体の側面方向のみに照射されるので、その照明光の照射角は狭いものとなっていた。したがって、緩衝用突起部からの照明光が、通常の操作キー照明用の光量と同じ位の場合には、側面が見えない位置からでは緩衝用突起部からの照明光を、ユーザーが確認することは困難とならざるを得ないという問題があった。
【０００６】
そこで本発明は、上記問題点に鑑みて、携帯端末装置を折畳んだ状態でも着信等により照射する照明光の照射角を大きくして、ユーザーが照明光を容易に確認し易くすることができる折畳み型携帯端末装置を提供することを課題とするものである。
【０００７】
【課題を解決するための手段】
上記課題を解決するために本発明は、
操作部形成面を有する第１ケースと、表示部形成面を有する第２ケースが、操作部形成面と表示部形成面を接近させるように折畳み自在となっている折畳み型携帯端末装置において、
前記操作部形成面及び前記表示部形成面の一方に設けられ、前記折畳み動作の完了時にその先端部が操作部形成面及び表示部形成面の他方に当接して前記第１，第２ケース間に隙間を作る隙間形成突起部と、
前記隙間形成突起部より前記ケース厚さ方向内側に重ねて設けられ、所定動作の発生時に発光するよう制御される発光手段と、
前記ケースの側面又は端面に配置され、前記発光手段が発光動作することにより照明動作してユーザに所定動作の発生を報知する、透光材料により形成された照明部材とを備え、
前記隙間形成突起部を前記照明部材と同一の透光材料により一体的に連結して形成したことを特徴とするものである。
【０００８】
このような折畳み型携帯端末装置によれば、同一の透光材料により隙間形成突起部と一体的に連結して形成された、照明部材をケースの側面又は端面に配置したため、携帯端末装置を折畳んだ状態でも、着信等により照明部材が照射する照明光の照射角を大きくすることができるので、ユーザーがその照明光を容易に確認し易くすることができる。
【０００９】
【発明の実施の形態】
以下、本発明の実施の形態について、図面に基づいて具体的に説明する。
図１ないし図３は、本発明に係る折畳み型携帯端末装置の第１の実施の形態について説明するために参照する図である。
【００１０】
図１に示すように、本実施の形態に係る折畳み型携帯電話機３０（折畳み型携帯端末装置）は、表示部形成面３２を有するケース３５（第２ケース）と、操作部形成面３４を有するケース３６（第１ケース）、及び、ケース３５、３６間を折畳み自在に連結するヒンジ部３７から構成されている。
【００１１】
ケース３５の表示部形成面３２には、ＬＣＤ（液晶ディスプレイ）等から構成される表示面１２、及び、スピーカ１３が設けられている。ケース３６の操作部形成面３４には、上下左右の方向に指示することができる十字キー１８や、数字とか文字を入力することができるテンキー２０等の各種キー、さらに、マイクロホン１５等が設けられている。
【００１２】
図２に示すように、ケース３６のマイクロホン１５側の端部には、隙間形成突起部５０がケース構成部材３６ａの上面から少し突出するように設けられると共に、報知ランプ５１（照明部材）がケース構成部材３６ａの端面中央部の見易い位置に露出するように設けられている。
【００１３】
図３に示すように、ケース３６は、そのケース構成部材３６ａ，３６ｂの内側面が互いに対向して、互いに重なって配置され、操作部形成面３４が形成されるケース構成部材３６ａの内側には、弾性体の透光材料（例えば、シリコンゴム）により形成された隙間形成突起部５０が設けられている。なお、この隙間形成突起部５０の材料としてはシリコンゴムの他に、エラストマー等の軟質材料をも使用することができる。
【００１４】
そして、この隙間形成突起部５０は、報知ランプ５１、及び、ケース構成部材３６ａとマイクロホン１５との間に挟んで設けられるパッキン５３（スペーサ）と、同一材料により一体的に連結して形成されている。
【００１５】
隙間形成突起部５０とケース構成部材３６ｂとの間には、隙間形成突起部５０の中心部に対向するようその下側凹部内に配置された、発光ダイオード５２（発光手段）の支持基板５４が挟まれて設けられ、発光ダイオード５２は隙間形成突起部５０に向けて発光動作が行えるようになっている。
【００１６】
発光ダイオード５２は、着信時のような、所定動作の発生時に発光動作するようＣＰＵ（図示せず）により制御される。そして、発光ダイオード５２が発光動作することにより、透光材料により形成された隙間形成突起部５０は、報知ランプ５１と共に、発光ダイオード５２からの明るい光を透過させて外部に照射する照明動作を行うようになっている。
【００１７】
上記所定動作としては、“着信時”の他に、“充電中”や“アラーム時”等にも使用することができる。
【００１８】
このような折畳み型携帯電話機３０は、ケース３５と３６を折り畳んだときに、操作部形成面３４の隙間形成突起部５０の先端が、表示部形成面３２のスピーカ１３の外側近傍に当接することにより、表示部形成面３２と操作部形成面３４との間に隙間を確保して、表示面１２にテンキー２０等が接触して損傷を与えないようになっている。また、隙間形成突起部５０は弾性体により形成されているので、折畳み型携帯電話機３０の折り畳み時の衝突音や衝撃が発生するのを防止することができる。
【００１９】
そして、隙間形成突起部５０は透光材料により形成されていると共に、ケース構成部材３６ａの端面に露出する報知ランプ５１と同一材料により一体的に連結して形成されているので、発光ダイオード５２が制御されて発光動作すると、隙間形成突起部５０と報知ランプ５１は共に上記照明動作を行う。
【００２０】
このため、隙間形成突起部５０の照明動作による照明光がケース３５，３６間の隙間から照射されるだけでなく、ケース構成部材３６ａの端面に露出する報知ランプ５１からの照明光が大きな照射角で照射されるため、折畳み型携帯電話機３０を折畳んだ状態でもユーザーがその照明光を容易に確認し易くすることができる。
【００２１】
また、操作部形成面３４を正面から見たとき、発光ダイオード５２は隙間形成突起部５０と互いに重なって同じ位置にあるため、その正面において発光ダイオード５２を隙間形成突起部５０とは別の位置に設ける必要が無いので、操作部形成面３４の面積が大きくなることを防止して折畳み型携帯電話機３０が大型化するのを防止することができる。
【００２２】
また、隙間形成突起部５０は報知ランプ５１の他に、パッキン５３とも一体的に連結して形成されているため、折畳み型携帯電話機３０の部品点数を少なくすることができると共に、各部品の成形用金型の数を減らすことができると共に、発光ダイオードの数を増やさなくともよいことにより、折畳み型携帯電話機３０全体のコストダウンを促進することができる。
【００２３】
図４ないし図６は、本発明の第２の実施の形態について説明するために参照する図である。
本実施の形態に係る折畳み型携帯電話機６０は、図４に示すように、表示部形成面３２に設けられたスピーカ１３の両側に隙間形成突起部６２が突出して設けられており、図５に示すように、ケース構成部材３５ａの隙間形成突起部６２近傍の端面には、報知ランプ６１（照明部材）が設けられている。
【００２４】
図６に示すように、ケース構成部材３５ａの内側には、弾性体の透光材料により形成された隙間形成突起部６２が設けられ、また、ケース構成部材３５ａの端面の見易い位置に露出するように報知ランプ６１が設けられている。隙間形成突起部６２とケース構成部材３５ｂとの間には、隙間形成突起部６２の中心部に対向するようその下側凹部内に配置された、発光ダイオード５２（発光手段）の支持基板５４が挟まれて設けられている。
【００２５】
上記隙間形成突起部６２は、ケース構成部材３５ａの端面に露出する報知ランプ６１、及び、ケース構成部材３５ａとスピーカ１３との間に挟んで設けられるパッキン５６（スペーサ）と、同一材料により一体的に連結して形成されている。
【００２６】
そして、隙間形成突起部６２は透光材料により形成されていると共に、ケース構成部材３５ａの端面に露出する報知ランプ６１と一体的に連結して形成されているので、発光ダイオード５２が制御されて発光動作すると、隙間形成突起部６２と報知ランプ６１は共に、発光ダイオード５２からの明るい光を透過させて外部に照射する照明動作を行うようになっている。
【００２７】
このため、隙間形成突起部６２の照明動作による照明光がケース３５，３６間の隙間から照射されるだけでなく、ケース構成部材３５ａの端面に露出する報知ランプ６１からの照明光が大きな照射角で照射されるため、折畳み型携帯電話機６０を折畳んだ状態でもユーザーがその照明光を容易に確認し易くすることができる。
【００２８】
図７ないし図９は、本発明の第３の実施の形態について説明するために参照する図である。
本実施の形態に係る折畳み型携帯電話機は、図７に示すように、ケース構成部材３６ａの操作部形成面３４に設けられたマイクロホン１５の両側に、隙間形成突起部６８が突出して設けられており、この隙間形成突起部６８は長円状に形成されている。ケース３６の隙間形成突起部６８近傍の端面には、コネクタキャップ７０が設けられている。
【００２９】
図８に示すように、ケース構成部材３６ａの内側には隙間形成突起部６８が設けられ、ケース３６の端面にはコネクタキャップ７０がその内側の部品を覆うように設けられている。隙間形成突起部６８は弾性体の透光材料により形成されており、コネクタキャップ７０はその隙間形成突起部６８と同一の材料により、隙間形成突起部６８と一体的に連結して形成されている。
【００３０】
また図８に示すように、ケース３６内の基板３６ｃの上面で、隙間形成突起部６８の下面中央部に対向する位置には、発光ダイオード５２が設けられていて、隙間形成突起部６８に向けて発光動作が行えるようになっている。ケース３６の端面には孔が設けられ、この孔にはレンズ３８が嵌め込まれているため、発光ダイオード５２からの光がケース３６の端面方向をも照明する。
【００３１】
さらに、隙間形成突起部６８の底面には溝６８ａが設けられており、ケース３６の端面方向を向く面６８ｂに、光を乱反射する光拡散面を形成し、もしくは４５°傾斜した鏡面を形成して、発光ダイオード５２からの光を反射させることにより、ケース３６の端面方向に向かう光を増大させるようになっている。
【００３２】
また、基板３６ｃの下面で、コネクタキャップ７０の内側には、折畳み型携帯電話機の入出力コネクタ７２が配置されていて、この入出力コネクタ７２は外部に露出しないようコネクタキャップ７０により覆われている。
図９は、図８における隙間形成突起部６８とコネクタキャップ７０が一体になった状態を示す斜視図である。
【００３３】
このため、折畳み型携帯電話機を折畳んだ状態において、隙間形成突起部６８の照明動作による照明光がケース３５，３６間の隙間から照射されるだけでなく、ケース３６の端面に設けられたコネクタキャップ７０が報知ランプを兼用して照明動作をし、そのコネクタキャップ７０からの照明光が大きな照射角で照射されるため、ユーザーがその照明光を容易に確認し易くすることができる。
【００３４】
なお、上記実施の形態においては、報知ランプ５１又は６１をケース３５又は３６の端面に設けた場合について説明したが、報知ランプはケース３５又は３６の側面に設けてもよいことはいうまでもない。
【００３５】
【発明の効果】
以上説明したように、本発明に係る折畳み型携帯端末装置によれば、同一の透光材料により隙間形成突起部と一体的に連結して形成された、照明部材をケースの側面又は端面に配置したため、携帯端末装置を折畳んだ状態でも、着信等により照明部材が照射する照明光の照射角を大きくすることができるので、ユーザーがその照明光を容易に確認し易くすることができる。
【図面の簡単な説明】
【図１】本発明の第１の実施の形態に係る折畳み型携帯電話機３０の開いた状態を示すその内側正面図である。
【図２】図１におけるケース３６のマイクロホン１５側の端部を示す部分拡大斜視図である。
【図３】図２における折畳み型携帯電話機３０のＡ−Ａ線断面図である。
【図４】本発明の第２の実施の形態に係る折畳み型携帯電話機６０の開いた状態を示すその内側正面図である。
【図５】図４における折畳み型携帯電話機６０のスピーカ１３側の端部を示す部分拡大斜視図である。
【図６】図５における折畳み型携帯電話機６０のＢ−Ｂ線断面図である。
【図７】本発明の第３の実施の形態に係る折畳み型携帯電話機のケース３６のマイクロホン１５側の端部を示す部分拡大斜視図である。
【図８】図７における折畳み型携帯電話機のＣ−Ｃ線断面図である。
【図９】図８における隙間形成突起部６８とコネクタキャップ７０が一体となって形成されている状態を示す斜視図である。
【符号の説明】
１２  表示面
１３  スピーカ
１５  マイクロホン
１８  十字キー
２０  テンキー
３０  折畳み型携帯電話機
３２  表示部形成面
３４  操作部形成面
３５  ケース
３５ａ，３５ｂ  ケース構成部材
３６  ケース
３６ａ，３６ｂ  ケース構成部材
３７  ヒンジ部
５０  隙間形成突起部
５１  報知ランプ
５２  発光ダイオード
５３  パッキン
５４  支持基板
５６  パッキン
６０  折畳み型携帯電話機
６１  報知ランプ
６２，６８  隙間形成突起部
７０  コネクタキャップ
【図１】
2004274340.tif 000003
【図２】
2004274340.tif 000004
【図３】
2004274340.tif 000005
【図４】
2004274340.tif 000006
【図５】
2004274340.tif 000007
【図６】
2004274340.tif 000008
【図７】
2004274340.tif 000009
【図８】
2004274340.tif 000010
【図９】
2004274340.tif 000011